(57)【要約】【課題】  管理項目別に各電源設備の最適運用の実績を収集し、管理対象電源設備全体が最適運用となるようにしたエネルギー管理システムを得る。【解決手段】  電源設備毎に配置されたエネルギー管理システム１により各電源設備を運用管理し、総合エネルギー管理システム４は、この各エネルギー管理システム１の最適な運用形態を表わす最適データを収集したデータ収集データベース３と、このデータ収集データベース３に収集されたエネルギー管理システム１の最適データをこのエネルギー管理システム１の実績データ３ｂと、最適データ収集装置５の判定手段５ａにより比較して最適かどうかを判定し、最適と判定された場合には、項目別最適データ抽出装置６により管理項目別の最適データを抽出して、これをエネルギー管理システム１の運用形態の決定に用いるようにした。【選択図】図１
2005251007.tif 000002
【特許請求の範囲】
【請求項１】
電源設備毎に配置され、上記配置された電源設備を運用管理する分散エネルギー管理システム、及びこの分散エネルギー管理システムによって運用された最適な運用形態を表わす最適データを収集し、この収集した最適データに基づき上記各電源設備全体の最適な運用管理を行う総合エネルギー管理システムを備え、上記分散エネルギー管理システムは、上記配置された電源設備の最適な運用形態を示す最適データを保存する最適情報データベースを有し、上記総合エネルギー管理システムは、上記分散エネルギー管理システムの上記最適情報データベースの最適データを収集したデータ収集データベースと、このデータ収集データベースに収集された上記分散エネルギー管理システムの最適データについてこの分散エネルギー管理システムの実績データと比較することにより最適かどうかを判定する判定手段を有する最適データ収集装置と、この最適データ収集装置の判定手段により最適と判定された上記収集された最適データから管理項目別の最適データを抽出する項目別最適データ抽出装置とにより構成され、上記項目別最適データ抽出装置により抽出された管理項目別の最適データを上記分散エネルギー管理システムに転送して上記分散エネルギー管理システムの運用形態の決定に用いることを特徴とするエネルギー管理システム。
【請求項２】
上記総合エネルギー管理システムは、上記分散エネルギー管理システムの上記電源設備の運用状態を監視するプラント監視装置と、このプラント監視装置によって監視される分散エネルギー管理システムを選択する総合エネルギー管理者端末とを有することを特徴とする請求項１記載のエネルギー管理システム。
【請求項３】
上記総合エネルギー管理システムは、上記収集された最適データにより上記分散エネルギー管理システムによって運用管理される電源設備の異常を検出するプラント異常検出装置を有し、このプラント異常検出装置により異常を検出したときは、上記総合エネルギー管理者端末に通知することを特徴とする請求項２記載のエネルギー管理システム。
【請求項４】
上記総合エネルギー管理システムは、上記異常が検出された電源設備の停止を命令するプラント停止命令を有していることを特徴とする請求項３記載のエネルギー管理システム。
【請求項５】
上記総合エネルギー管理者端末は、複数台設置されていることを特徴とする請求項２〜請求項４のいずれかに記載のエネルギー管理システム。
【発明の詳細な説明】
【技術分野】
【０００１】
この発明は、分散電源を一括に管理すると共に、分散電源全体のエネルギーの最適運用を行うエネルギー管理システムに関するものである。
【背景技術】
【０００２】
従来のエネルギーを管理するシステムでは、特許文献１に示されるように、エネルギーを一括に管理し、データベース化し、指定したグラフを出力するシステムを提供している。
【０００３】
【特許文献１】特開平１０−４９５５２号公報（第２〜４頁、図１）
【発明の開示】
【発明が解決しようとする課題】
【０００４】
特許文献１に示される従来のエネルギーを管理するシステムでは、エネルギーを一括に管理し、データベース化し、指定したグラフを出力するのみで、管理対象項目全体のエネルギー最適化ができないという問題点があった。
【０００５】
この発明は、上述のような課題を解決するためになされたものであり、管理項目別に各電源設備の最適運用の実績を収集し、管理対象電源設備全体が最適運用となるようにしたエネルギー管理システムを得ることを目的とする。
【課題を解決するための手段】
【０００６】
この発明に係わるエネルギー管理システムにおいては、電源設備毎に配置され、配置された電源設備を運用管理する分散エネルギー管理システム、及びこの分散エネルギー管理システムによって運用された最適な運用形態を表わす最適データを収集し、この収集した最適データに基づき各電源設備全体の最適な運用管理を行う総合エネルギー管理システムを備え、分散エネルギー管理システムは、配置された電源設備の最適な運用形態を示す最適データを保存する最適情報データベースを有し、総合エネルギー管理システムは、分散エネルギー管理システムの最適情報データベースの最適データを収集したデータ収集データベースと、このデータ収集データベースに収集された分散エネルギー管理システムの最適データについてこの分散エネルギー管理システムの実績データと比較することにより最適かどうかを判定する判定手段を有する最適データ収集装置と、この最適データ収集装置の判定手段により最適と判定された収集された最適データから管理項目別の最適データを抽出する項目別最適データ抽出装置とにより構成され、項目別最適データ抽出装置により抽出された管理項目別の最適データを分散エネルギー管理システムに転送して分散エネルギー管理システムの運用形態の決定に用いるものである。
【発明の効果】
【０００７】
この発明は、以上説明したように、電源設備毎に配置され、配置された電源設備を運用管理する分散エネルギー管理システム、及びこの分散エネルギー管理システムによって運用された最適な運用形態を表わす最適データを収集し、この収集した最適データに基づき各電源設備全体の最適な運用管理を行う総合エネルギー管理システムを備え、分散エネルギー管理システムは、配置された電源設備の最適な運用形態を示す最適データを保存する最適情報データベースを有し、総合エネルギー管理システムは、分散エネルギー管理システムの最適情報データベースの最適データを収集したデータ収集データベースと、このデータ収集データベースに収集された分散エネルギー管理システムの最適データについてこの分散エネルギー管理システムの実績データと比較することにより最適かどうかを判定する判定手段を有する最適データ収集装置と、この最適データ収集装置の判定手段により最適と判定された収集された最適データから管理項目別の最適データを抽出する項目別最適データ抽出装置とにより構成され、項目別最適データ抽出装置により抽出された管理項目別の最適データを分散エネルギー管理システムに転送して分散エネルギー管理システムの運用形態の決定に用いるので、電源設備全体の運用管理における最適化を図ることが可能となる。
【発明を実施するための最良の形態】
【０００８】
実施の形態１．
以下、この発明の実施の形態１を図に基づいて説明する。
図１は、この発明の実施の形態１によるエネルギー管理システムを示す構成図である。
図１において、エネルギー管理システム１（分散エネルギー管理システム）は、各電源設備ごとに設置され、それぞれ各電源設備単位のエネルギーを、使用目的に応じて発電量や使用量などの最適化または省コスト化などの管理を行う。各エネルギー管理システム１は、それぞれの電源設備を最適運用した結果を、最適な運用形態を表わす最適データとして保存する最適情報データベース２と、電源設備の運用形態を決定する運用形態決定データベース２ａを有する。
総合エネルギー管理システム４は、各エネルギー管理システム１からデータ収集を行い、総合的に管理するように次のように構成されている。すなわち、各エネルギー管理システム１の最適情報データベース２から一括して最適データのデータ収集を行うデータ収集データベース３と、データ収集データベース３から最適データを収集する最適データ収集装置５と、発電量、電力使用量、燃料使用量などの各管理項目について、項目別の最適データを抽出する項目別最適データ抽出装置６とにより構成される。
データ収集データベース３は、項目別データ３ａと、各エネルギー管理システムの過去の最適データである実績データ３ｂとを有し、最適データ収集装置５には、収集された最適データを判別する判定手段５ａが設けられ、項目別データ収集装置６には、項目別の最適データを判別する項目別判定手段６ａが設けられている。
【０００９】
次に、動作について説明する。
図１において、各電源設備ごとに設置されているエネルギー管理システム１を運用することによって得られた各電源設備ごとの最適な運用形態を表わす最適データをそれぞれの最適情報データベース２に保存する。最適情報データベース２に格納された最適データは、総合エネルギー管理システム４内のデータ収集データベース３に転送される。データ収集データベース３に転送された最適データは、最適データ収集装置５へ転送される。最適データ収集装置５に転送された最適データは、データ収集データベース３内のそのエネルギー管理システムの過去の最適データである実績データ３ｂと判定手段５ａにより比較判定され、その結果、収集された最適データが最適と判断されれば、その最適データを項目別最適データ抽出装置６へ転送する。判定手段５ａにより、最適と判断されないデータは、破棄される。
【００１０】
項目別最適データ抽出装置６では、最適データ収集装置５によって最適と判断された最適データについて、各電源設備ごとに設置されているエネルギー管理システム１の発電量、電力使用量、燃料使用量などの各管理項目別に項目別判定手段６ａにて判別して管理項目別の最適データを抽出し、この抽出された最適データをデータ収集データベース３内の項目別データ３ａに転送する。
項目別データ３ａ内に転送された各管理項目別の最適データから、それぞれのエネルギー管理システムの運用形態を最適にするように、該当するエネルギー管理システム１の運用形態決定データベース２ａに通知され、各設備のエネルギー管理の全体の運用形態を最適にすることが可能となる。
【００１１】
実施の形態１によれば、総合エネルギー管理システム４内に最適データ収集装置５および項目別最適データ抽出装置６を持つことで、従来までのエネルギー管理システムでは不可能であった設備全体のエネルギー管理における最適化を図ることが可能となる。
【００１２】
実施の形態２．
図２は、この発明の実施の形態２によるエネルギー管理システムを示す構成図である。
図２において、１〜６、２ａ、３ａ、３ｂ、５ａ、６ａは図１におけるものと同一のものである。実施の形態１では、設備ごとに設置されているエネルギー管理システム１の最適データを総合エネルギー管理システム４内のデータ収集データベース３へ転送し、最適データ収集装置５の判別手段５ａで実績データ３ｂとを比較し、最適データを収集し項目別最適データ抽出装置６にて必要な項目の最適データを抽出し、データ収集データベース３を介して設備ごとに必要なデータを、設備ごとに設置されているエネルギー管理システム１へ転送し、設備全体のエネルギー管理における最適化を図る場合について述べたが、図２では以下のものが追加されている。すなわち、総合エネルギー管理装置４内に各設備に設置しているエネルギー管理システム１を監視するプラント監視装置７及び総合エネルギー管理システム４を使用する総合エネルギー管理者端末８が追加され、プラント監視装置７には、プラントの状況を確認するためのプラント選択７ａが設けられている。
【００１３】
実施の形態１では、総合エネルギー管理システム４で項目別最適データ抽出装置６にて最適データを抽出して設備全体のエネルギー管理の最適化を図ったが、その情報を確認するために、実施の形態２では、総合エネルギー管理者が総合エネルギー管理者端末８を使用して、監視したいエネルギー管理システム１を選択する。この監視したいエネルギー管理システム１の内容を総合エネルギー管理システム４内のプラント監視装置７に転送する。プラント監視装置７では、該当するエネルギー管理システム１をプラント選択７ａにて選択し、その情報をデータ収集データベース３の実績データ３ｂから読み出し、その結果を総合エネルギー管理者端末８へ転送する。
【００１４】
実施の形態２によれば、総合エネルギー管理者が総合エネルギー管理者端末８を使用して、必要時に監視したいエネルギー管理システム１を監視することが可能となる。
【００１５】
実施の形態３．
図３は、この発明の実施の形態３によるエネルギー管理システムを示す構成図である。
図３において、１〜８、２ａ、３ａ、３ｂ、５ａ、６ａ、７ａは図２におけるものと同一のものである。図３では、プラント異常検出装置９により、プラント（電源設備）の異常を検出し、プラント異常検出装置９内のプラント異常判定手段９ａによりプラントの異常を判断する。プラント停止命令１０は、プラントの停止を指示する。このプラント停止命令１０内には、プラントの停止を判断するプラント停止判断１０ａが設けられている。
実施の形態３では、設備ごとに設置されているエネルギー管理システム１が異常となった場合、総合エネルギー管理者端末８から監視する手段が設けられている。
【００１６】
次に、動作について説明する。
実施の形態１にて説明した設備ごとに設置されているエネルギー管理システム１の最適データは、データ収集データベース３へ転送される。転送された最適データは、実績データ３ｂと共にプラント異常検出装置９へ転送される。プラント異常検出装置９では、プラント異常判定手段９ａにて最適データと実績データ３ｂを比較判別し、このデータが異常に違えば、プラントが異常であると判断し、その結果を総合エネルギー管理者端末８へ転送する。総合エネルギー管理者端末８により、プラント監視装置７へプラント異常のデータを転送し、プラント選択７ａを経てプラント停止命令１０へ転送する。プラント停止命令１０内のプラント停止判別１０ａにより、プラント異常検出装置９のデータと比較し、一致すれば該当プラントのエネルギー管理システム１へプラント停止するデータを転送する。
【００１７】
実施の形態３によれば、エネルギー管理システム１に異常が生じた場合でも総合エネルギー管理者端末８で確認が可能となり、該当するエネルギー管理システム１を停止することが可能となる。
【００１８】
実施の形態４．
図４は、この発明の実施の形態４によるエネルギー管理システムを示す構成図である。
図４において、１〜１０、２ａ、３ａ、３ｂ、５ａ、６ａ、７ａ、９ａ、１０ａは図３におけるものと同一のものである。図４では、総合エネルギー管理者端末８が複数設けられている。
【００１９】
実施の形態３では、プラントの異常を検出するプラント異常検出装置９、プラントの異常を判断するプラント異常判定手段９ａ、プラントの停止を指示するプラント停止命令１０、プラント停止判別１０ａを設置することで、設備ごとに設置されたエネルギー管理システム１で異常が生じた場合、総合エネルギー管理者端末８にて確認することができ、該当するエネルギー管理システム１を停止することが可能になることについて述べたが、実施の形態４は、図４のように、総合エネルギー管理者端末８が複数台設置され、それぞれの総合エネルギー管理者端末８のどれを用いてもエネルギー管理システムの異常を確認することができるようにした。
【００２０】
実施の形態４によれば、総合エネルギー管理者端末を複数設置し、どの総合エネルギー管理者端末を使用してもエネルギー管理システムの異常を確認することができる。
【図面の簡単な説明】
【００２１】
【図１】この発明の実施の形態１によるエネルギー管理システムを示す構成図である。
【図２】この発明の実施の形態２によるエネルギー管理システムを示す構成図である。
【図３】この発明の実施の形態３によるエネルギー管理システムを示す構成図である。
【図４】この発明の実施の形態４によるエネルギー管理システムを示す構成図である。
【符号の説明】
【００２２】
１  エネルギー管理システム、２  最適情報データベース、
２ａ  運用形態決定データベース、３  データ収集データベース、
３ａ  項目別データ、３ｂ  実績データ、４  総合エネルギー管理システム、
５  最適データ収集装置、５ａ  判定手段、６  項目別最適データ抽出装置、
６ａ  項目別判定手段、７  プラント監視装置、７ａ  プラント選択、
８  総合エネルギー管理者端末、８ｎ  総合エネルギー管理者端末、
９  プラント異常検出装置、９ａ  プラント異常判定手段、
１０  プラント停止命令、１０ａ  プラント停止判別。
【図１】
2005251007.tif 000003
【図２】
2005251007.tif 000004
【図３】
2005251007.tif 000005
【図４】
2005251007.tif 000006